(57)【特許請求の範囲】
【請求項１】
呼制御とベアラ制御とを分離し、呼制御が制御ノード（ＭＳＣ１、ＭＳＣ２、ＧＭＳＣ１、ＴＳＣ、ＧＭＳＣ、ＴＳＣ１、ＴＳＣ２、ＴＳＣ３、ＲＮＣ、ＲＮＣ１、ＲＮＣ２、ＲＮＣ３）によって実行され、ベアラ制御が少なくとも１つのメディア・ゲートウェイ（ＭＧＷ１、ＭＧＷ２、ＭＧＷ３）によって実行される、無線通信ネットワークにおいて呼を設定する方法であって、
第１の制御ノードで呼の設定要求を受信するステップと、
前記呼の設定要求を前記第１の制御ノードから後続する制御ノードへ転送し、もし前記呼の設定要求が別のネットワークの制御ノードから受信された場合には、メディア・ゲートウェイを選択し、該メディア・ゲートウェイのアドレスを前記後続する制御ノードへ送信するステップと、
前記後続する制御ノードで前記呼の設定要求を受信するステップと、
前記後続する制御ノードでメディア・ゲートウェイを選択し、ユーザ・プレーンの変更が必要であるか、メディア・ゲートウェイの切り換えが必要であるかのいずれか、あるいはその両方である場合に、該メディア・ゲートウェイのアドレスを先行する制御ノードに逆方向で送信するステップと、を備えることを特徴とする方法。
【請求項２】
前記呼の設定要求を受信した後に、前記後続する制御ノードが担当の制御ノードとなり、
前記担当の制御ノードでメディア・ゲートウェイを選択し、ユーザ・プレーンの変更が必要、又はメディア・ゲートウェイの切り換えが必要な場合、該メディア・ゲートウェイのアドレスを先行する制御ノードに逆方向で送信するステップと、
前記担当の制御ノードが着信ユーザ機器にサービスを提供していない場合、前記呼の設定要求を更に後続する制御ノードへ転送するステップと、を更に備えることを特徴とする請求項１に記載の方法。
【請求項３】
前記第１の制御ノードが、移動通信交換局、ゲートウェイ移動通信交換局、及び中継交換局のいずれかであることを特徴とする請求項１又は２に記載の方法。
【請求項４】
発信ユーザ機器によって提供されたコーデックのリストを、無線通信ネットワークを通じて着信ユーザ機器に転送するステップであって、該コーデックのリストはペイロードの変更に対してリソースを選択するのに使用され、前記リソースが選択された後で、前記選択されたリソースに従ってペイロードの変更を適合させるステップを更に備えることを特徴とする請求項１から３のいずれか１項に記載の方法。
【請求項５】
前記コーデックのリストを転送するステップが、アドレス・メッセージ内において前記コーデックのリストを送信するステップを含むことを特徴とする請求項４に記載の方法。
【請求項６】
選択されたコーデックのタイプを、発信ユーザ機器から着信ユーザ機器へ転送するステップを更に備えることを特徴とする請求項１から５のいずれか１項に記載の方法。
【請求項７】
ネットワークの端部での更なるトランスコーディング及びユーザ機器のタンデム・フリー・オペレーションを容易とするために、前記選択されたコーデックに関する情報に応じて別のコーデックを選択するステップを更に備えることを特徴とする請求項１から６のいずれか１項に記載の方法。
【請求項８】
前記選択されたコーデックに関する情報に応じて、ネットワーク内での更なるトランスコーディングを避けるステップを更に備えることを特徴とする請求項１から６のいずれか１項に記載の方法。
【請求項９】
選択されたフレーミングのタイプを、ネットワークを通じて転送するステップを更に備えることを特徴とする請求項１から８のいずれか１項に記載の方法。
【請求項１０】
前記メディア・ゲートウェイを選択するステップが、先行する制御ノードによって実行されたメディア・ゲートウェイの選択を無効にし、該無効にしたことが前記先行するノードに逆方向に送信されるステップを更に備えることを特徴とする請求項１から９のいずれか１項に記載の方法。
【請求項１１】
前記メディア・ゲートウェイを無効にするステップが、前記制御ノードから前記着信ユーザ機器に、メディア・ゲートウェイの第１の選択を実行した制御ノードで受信した前記コーデックのリストを再送し、該コーデックのリストが、ペイロードの変更のためのリソースの選択に使用され、選択の後に選択されたリソースに従って適合されるステップを更に含むことを特徴とする請求項１０に記載の方法。
【請求項１２】
前記メディア・ゲートウェイの選択を無効にするステップが、フレーミングのタイプの選択、コーディングのタイプ及びメディア・ゲートウェイのアドレスを無効にするステップを更に備えることを特徴とする請求項１０又は１１に記載の方法。
【請求項１３】
リソースに対する要求に応じて、前記呼のペイロードを処理するために前記メディア・ゲートウェイ内に確保されたリソースを識別するための論理ポイントを前記メディア・ゲートウェイに確保するステップを更に備えることを特徴とする請求項１から１２のいずれか１項に記載の方法。
【請求項１４】
前記メディア・ゲートウェイのアドレスを前記先行する制御ノードに逆方向に送信するステップが、前記第１の制御ノードに前記論理ポイントの識別情報を逆方向に転送するステップを更に備えることを特徴とする請求項１から１３のいずれか１項に記載の方法。
【請求項１５】
第１の制御ノードと少なくとも１つの更なる制御ノードを含み、呼の設定の情報を受信し、前記更なる制御ノードの１つが、前記呼のユーザ・プレーンを処理する複数のメディア・ゲートウェイ（ＭＧＷ１、ＭＧＷ２、ＭＧＷ３）の少なくとも１つからリソースを要求し、少なくともその１つがメディア・ゲートウェイを選択するように構成されている、複数の制御ノード（ＭＳＣ１、ＭＳＣ２、ＧＭＳＣ１、ＴＳＣ、ＧＭＳＣ、ＴＳＣ１、ＴＳＣ２、ＴＳＣ３、ＲＮＣ、ＲＮＣ１、ＲＮＣ２、ＲＮＣ３）と、
前記呼のユーザ・プレーンを処理する複数のメディア・ゲートウェイ・リソースを接続する複数の論理ポイント（Ｐｏ１、Ｐｖ１１、Ｐｉ１、Ｐｏ２、Ｐｖ２１、Ｐｉ２、Ｐｏ３、Ｐｖ３１、Ｐｉ３、Ｐｏ４、Ｐｖ４１、Ｐｉ４）を含み、前記更なる制御ノードの１つからのリソースの要求に応じて、前記論理ポイントの１つを前記更なる制御ノードの１つに識別するようにに構成されており、前記更なる制御ノードの１つが前記論理ポイントを逆方向に送信する、少なくとも１つのメディア・ゲートウェイと、
を備え、前記複数の制御ノードが前記呼のユーザ・プレーンを処理するために前記少なくとも１つのメディア・ゲートウェイを使用する、ことを特徴とする無線通信ネットワーク。
【請求項１６】
前記更なる制御ノードの１つが、前記メディア・ゲートウェイのアドレスを先行する制御ノードに逆方向で送信することを特徴とする請求項１５に記載の無線通信ネットワーク。
【請求項１７】
前記更なる制御ノードの１つが、前記メディア・ゲートウェイについて識別された論理ポイントの情報を先行する制御ノードに逆方向で送信することを特徴とする請求項１５又は１６に記載の無線通信ネットワーク。
【請求項１８】
前記複数のメディア・ゲートウェイ・リソースの少なくとも１つが、トランスコーダ、会議通話装置、モデム、トーン発生器及びアナウンス装置のいずれかであることを特徴とする請求項１５から１７のいずれか１に記載の無線通信ネットワーク。
【請求項１９】
前記メディア・ゲートウェイのリソースの制御及び確保に関する前記制御ノードと前記メディア・ゲートウェイとの間の通信が、デバイス制御プロトコルを用いて実行されることを特徴とする請求項１５から１８のいずれか１に記載の無線通信ネットワーク。
【請求項２０】
前記ネットワークが、呼制御について前記制御ノード間でＮ−ＩＳＵＰインタフェースを使用することを特徴とする請求項１５から１９のいずれか１に記載の無線通信ネットワーク。
【請求項２１】
前記ユーザ・プレーンが、メディア・ゲートウェイの内部及びそれらの間で圧縮されて転送されることを特徴とする請求項１５から２０のいずれか１に記載の無線通信ネットワーク。
【請求項２２】
無線通信ネットワークにおいて、呼制御とベアラ制御とを分離し、前記呼制御が制御ノード（ＭＳＣ１、ＭＳＣ２、ＧＭＳＣ１、ＴＳＣ、ＧＭＳＣ、ＴＳＣ１、ＴＳＣ２、ＴＳＣ３、ＲＮＣ、ＲＮＣ１、ＲＮＣ２、ＲＮＣ３）で実施され、前記ベアラ制御が少なくとも１つのメディア・ゲートウェイ（ＭＧＷ１、ＭＧＷ２、ＭＧＷ３）で実施されて呼を設定する方法であって、
第１の制御ノードで呼の設定要求を受信するステップと、
前記第１の制御ノードでトランスコーダのリストを受信するステップと、
前記呼の設定要求と前記トランスコーダのリストとを、前記第１の制御ノードから後続する制御ノードに転送するステップと、
メディア・ゲートウェイを選択し、ユーザ・プレーンの変更が必要であるか、メディア・ゲートウェイの切り換えが必要であるかのいずれか、あるいはその両方である場合に、前記後続する制御ノードで該メディア・ゲートウェイのアドレスを先行する制御ノードに逆方向で送信するステップと、
前記制御ノードが着信ユーザ機器をサービスしていない場合、前記呼の設定要求と前記トランスコーダのリストとを後続する制御ノードへ転送し、メディア・ゲートウェイが選択されている場合、選択されたメディア・ゲートウェイのアドレスを後続する制御ノードへ更に転送するステップと、を備えることを特徴とする方法。
【発明の詳細な説明】
【０００１】
［発明の背景］
従来のＧＳＭ（汎欧州デジタル電話方式）あるいはＵＭＴＳ（世界規模の移動体通信サービス）のコアネットワークは、ベアラ制御及び呼制御を用いている。ベアラ制御は、伝送ネットワークを通じた経路の選択、及び要求されたリソースの利用（確保、解放及び設定）の制御に関するシグナリングの態様である。呼制御は、例えば、加入者の状態を考慮した、加入者及びサービス制御に関するシグナリングの態様である。
【０００２】
Ｎ−ＩＳＤＮ（総合サービス・デジタル通信網）の既存の実現方法では、呼制御とベアラ制御とは互いに一体となっている。ユーザ・プレーンは、ＭＳＣ（移動通信交換局）及びＧＭＳＣ（ゲートウェイＭＳＣ）などの制御サーバに直接関連している。このように、制御ノードはシグナリング及びユーザ・プレーン両方に対するアプリケーション・ロジックを実装している。Knight R.R.及びLaw B.は、１９９８年４月に発行された、BT Technical Journal, volume 16 Number 2の「呼とベアラが分離された環境における呼制御プロトコル(The call control procotol in a separeted call and bearer environment)」において、呼とベアラ制御とが分離されたシステム及びプロトコルを記載している。しかしながら、記載されたシステムは、制御ノードをペイロード伝送用のノードから分離していない。このため、制御ノードは、呼制御とベアラ制御との両方を実行し、時間において分離されているだけである。
【０００３】
本発明は、呼制御とベアラ制御との分離に係るものである。
【０００４】
発明の概要
ＧＳＭ及びＵＭＴＳコア・ネットワークを実現するために、呼制御とベアラ制御とを分離する新たな手法が存在する。
【０００５】
本発明によれば、呼とベアラ制御との分離の実施により、以下のような特徴が示される。
【０００６】
メディア・ゲートウェイ・アドレス、終端及びおそらくは選択されたトランスコーダの逆方向への転送。
【０００７】
アプリケーション・ソフトウェアが、例えばＳＴＭ、ＡＴＭ、ＩＰなどの使用される伝送技術から独立している。
【０００８】
最適化されたユーザ・プレーンを得るための、呼制御とベアラ制御のシグナリングに対する変更。
【０００９】
異なった制御サーバが１つのメディア・ゲートウェイを使用可能とするための、ＭＧＷにおける論理ポイントの使用。
【００１０】
制御ノードにおいて、メディア・ゲートウェイ毎に１つのＰＣ（ポイント・コード）を割当てることにより、移動通信交換局、ＴＳＣサーバがいくつかのメディア・ゲートウェイを制御することを可能とする。
【００１１】
呼の設定のためのユーザ・プレーンのルーティングが、著しく最適化される。
【００１２】
付加サービスＣＦＮＲＥＡ、ＣＦＢ、ＣＦＮＲＹ、ＣＦＵのためのユーザ・プレーンのルーティングが、著しく最適化される。
【００１３】
付加サービスＣＷ、ＨＯＬＤのためのユーザ・プレーンのルーティングが、著しく最適化される。
【００１４】
ＩＡＭにおけるように、発信側の移動通信交換局ＭＳＣ１とユーザ機器１との間で取り決められてきたコーデック（ＣＯＤＥＣ）のリストが、選択的に含まれてもよく、着信側の移動通信交換局ＭＳＣ２は、移動通信交換局ＭＳＣ１を介してユーザ機器１に信号を返すことができる、ユーザ機器２とコーデックを取り決めることができる。ユーザ機器１とユーザ機器２とが同じコーデックを使用して、ネットワーク内に複数のコーデックがあるのを避けることにより、より良好な品質が得られる。複数のコーデックがネットワーク内に必要な場合には、例えばＳＴＭ（図７参照）などのＴＦＯを可能とする同じタイプのコーデックが選択される。
【００１５】
メディア・ゲートウェイは、ユーザ・プレーンの変更を必要とする第１の制御ノードによって選択されるが、その前はそうではない。
【００１６】
後の呼制御サーバである移動通信交換局ＭＳＣ２が異なったメディア・ゲートウェイＭＧＷ２を選択してこれを第１の制御サーバに報告するときに、選択されたメディア・ゲートウェイＭＧＷ１はリンクから外されてもよい。第１の呼制御サーバは、異なったメディア・ゲートウェイＭＧＷ２に向けてユーザ・プレーンを設定する。
【００１７】
メディア・ゲートウェイに会議通話装置のプールを可能とする。
【００１８】
別々に符号化された音声ストリームを１つのＭＰＴＹに組合せる。
【００１９】
本発明の更なる特徴及び利点は、明細書の以下の説明及び図面から容易にわかるであろう。
【００２０】
説明
本発明は、呼制御とベアラ制御、すなわち、ペイロード・コネクションの設定とを分離した、電気通信ネットワークにおける呼の設定を可能とすること及び最適化することに関する。呼制御とペイロード伝送との分離は、移動通信交換局、ゲートウェイ移動通信交換局及び中継交換局等の制御ノード間のシグナリングが、ネットワークを通じてペイロードとは異なった経路を取ることを意味する。これは、電気通信ネットワークが、最少のリソースを使用してペイロードに対する最適なルーティングを実行することを可能とする。発信呼、着信呼、内部呼あるいは中継呼などの呼の場合に応じて、ネットワーク内には１つあるいは最大で２つのメディア・ゲートウェイだけが必要である。
【００２１】
本発明は特に、選択されたメディア・ゲートウェイの識別情報の逆方向への送信を含む方法に関する。すなわち、第２の制御ノードあるいは更なる制御ノードは、メディア・ゲートウェイを、
−呼の発信元、
−呼の宛先（着信制御ノード選択スイッチあるいは移動通信交換局の選択と、符号化及び復号化とに重要）、あるいは
−要求されるサービス（音声、ファックス又はその他）、に応じて全ての呼の場合について選択する。ある種の呼の場合には、更なる情報がメディア・ゲートウェイの選択に関連してもよく、その情報とは、
−関連するサービス、例えばＣＦＢ、
−ペイロードの符号化（圧縮音声の場合には、伝送容量を節約するためにネットワークを通じて音声データの圧縮を保持するのが実用的である）、
−呼のフレーミング、などである。
【００２２】
本発明は、転送レイヤ・アドレス、論理ポイント、選択された符号化タイプ及び選択されたフレーミングのタイプをセルラ・ネットワークにおいて逆方向に転送して、呼制御とベアラ制御とを分離した、基本的な呼の設定、ＧＳＭ／ＵＭＴＳ付加サービスＣＦＵ、ＣＦＢ、ＣＦＮＲＥＡ、ＣＦＮＲＹ、ＣＷ、ＨＯＬＤ及びＭＰＴＹの実施に関する。様々なトラフィックの事例におけるそれぞれの呼の設定が、図面の１つに示され説明されている。それぞれの図面は、ＧＳＭあるいはＵＭＴＳなどの無線通信システムのブロック図であり、方向を示す矢印は制御サーバ間の制御シグナリングを示しており、異なったトラフィックの事例に対する呼を設定中のメディア・ゲートウェイが示されている。本明細書に記載された説明は、各信号で運ばれる情報の説明である。本明細書及び図面において、特定の信号は参照番号で識別される。
【００２３】
ここで説明されるトラフィックの事例における呼の多くは、固定端末あるいは移動端末に関連する。端末は、例えば、パーソナルコンピュータ、ファックス、あるいはネットワーク内に位置する電話であり得る。そのような移動端末をここではユーザ機器（ＵＥ）と称する。ユーザ機器は、無線リソース制御（ＲＲＣ）プロトコルを用いてＲＮＣ（無線ネットワーク・コントローラ）を介してネットワークと通信する。
【００２４】
論理ポイントはＭＧＷ（メディア・ゲートウェイ）によって生成される局所的な参照であり、メディア・ゲートウェイ・アドレスがあるときだけ、制御サーバ、例えば、ＭＳＣ／ＶＬＲ（ＭＳＣ／ビジター・ロケーション・レジスタ）、ＧＭＳＣ、ＴＳＣ及びＲＮＣ内の接続を識別するのに有効である。この目的のため、第１のメディア・ゲートウェイＭＧＷ内に論理ポイントＰが確保される。この確保されたポイントは、ＤＣＰリソース応答メッセージで制御サーバに返送され、この制御サーバからＡＡＬ２接続を設定するであろう別のメディア・ゲートウェイＭＧＷ２又はＲＮＣに伝えられる。この設定で論理ポイントＰは、メディア・ゲートウェイＭＧＷ１内に確保されたリソースのどれに接続を設定すべきかを識別するために含まれている。論理ポイントは、ＩＴＵによるＨ．ＧＣＰプロトコル標準における終端と同義である。
【００２５】
上記で述べた制御サーバの１つなどの制御ノードは、アプリケーション・ロジックを提供する。ユーザ・プレーン処理からのアプリケーション・ロジックの完全な分離は、アプリケーションの開発及び実行の強化を可能とする。説明したシステムには、制御ノードＧＭＳＣ、ＭＳＣ、ＴＳＣ及びＨＬＲ（シグナリングのみ）が存在する。制御ノードのインタフェースは、例えば、呼制御シグナリングについてはＮ−ＩＳＵＰ、メディア・ゲートウェイ制御についてはＤＣＰシグナリング及び制御サーバ間の転送についてはＭＡＰである。
【００２６】
上記で述べた制御サーバの１つなどの制御ノードは、アプリケーション・ロジックを提供する。ユーザ・プレーン処理からのアプリケーション・ロジックの完全な分離は、アプリケーションの開発及び実行の強化を可能とする。説明したシステムには、制御ノードＧＭＳＣ、ＭＳＣ、ＴＳＣ及びＨＬＲ（シグナリングのみ）が存在する。制御ノードのインタフェースは、例えば、呼制御シグナリングについてはＮ−ＩＳＵＰ、メディア・ゲートウェイ制御についてはＤＣＰシグナリング及び制御サーバ間の転送についてはＭＡＰである。
【００２７】
メディア・ゲートウェイ（ＭＧＷ）は、ユーザ・プレーンを変更あるいは切り換える。これはアナウンス生成、トーン生成、エコー・キャンセル、データ呼出しに対するモデム処理及び音声呼出しに対するコーデック（トランスコーダ）処理などの動作を実行する。
【００２８】
シグナリング・ゲートウェイ（ＧＷ）は、シグナリング・メッセージのベアラ変換を実行する。ＡＴＭコア・ネットワーク及び相互に働くＩＳＤＮネットワークを備えたＵＭＴＳでは、ＡＴＭ／ＡＡＬ５からＭＴＰへの変換がシグナリング・ゲートウェイで行われる。シグナリングＧＷはＮ−ＩＳＵＰシグナリングを中継し、シグナリングを運ぶ低位転送レイヤを交換する。従ってシグナリングＧＷは、例えば、ＧＭＳＣあるいはＴＳＣと常に併置される。
【００２９】
バックボーン・ネットワークはユーザ・プレーン及び制御シグナリングを転送し、例えば、ＳＴＭ、ＡＴＭあるいはＩＰに基づいたものとできる。メディア・ゲートウェイは、バックボーン・ネットワークの端部のノードである。
【００３０】
本明細書では周知のものに加え、以下の略称を使用する。
ＡＡＬ２        ＡＴＭアダプテーション・レイヤ・タイプ２
ＡＣＭ          アドレス完了メッセージ
ＡＴＭ          非同期転送モード
ＢＩＣＣ        ベアラ独立呼制御
ＣＣＤ          会議通話装置
ＣＩＣ          回路識別コード
ＣＦＢ          ビジー時着信転送
ＣＦＮＲＥＡ    圏外・電源オフ時着信転送
ＣＦＮＲＹ      無応答時着信転送
ＣＦＵ          無条件着信転送
ＣＭ            接続管理
ＣＰＧ          呼手続メッセージ
ＣＷ            コール・ウェイティング付加サービス
ＤＣＰ          デバイス制御プロトコル
ＤＰＣ          着信ポイント・コード
ＤＴＡＰ        直接転送応用部
ＧＭＳＣ        ゲートウェイＭＳＣ
ＨＬＲ          ホーム・ロケーション・レジスタ
ＨＯＬＤ        保留時付加サービス
ＩＡＭ          アドレス・メッセージ
ＩＰ            インターネット・プロコトル
ＩＳＤＮ        総合サービス・デジタル通信網
ＩＳＵＰ        ＩＳＤＮユーザ部
ＭＡＰ          移動通信応用部
ＭＧＷ          メディア・ゲートウェイ
ＭＳＣ          移動通信交換局
ＭＰＴＹ        マルチユーザ付加サービス
ＯＰＣ          発信ポイント・コード
ＰＣ            ポイント・コード
Ｐ              論理ポイント
ＲＡＮＡＰ      無線アクセス・ネットワーク応用部
ＲＮＣ          無線アクセス・ネットワーク
ＳｉｇＧＷ      シグナリング・ゲートウェイ
ＳＴＭ          同期転送モード
ＴＳＣ          中継交換局
ＵＥ            ユーザ機器（移動体）。
【００３１】
本明細書に記載する新たなネットワーク・アーキテクチャでは、ＳＴＭ、ＡＡＬ２あるいはＩＰがベアラ制御及びユーザ・プレーンの利用に使用されるが、呼制御にはＮ−ＩＳＤＮが使用される。
【００３２】
ここでの記載では制御トーンの生成を省略したが、既知の他の方法で処理されるべきである。
【００３３】
メディア・ゲートウェイ・アドレスは、例えば、サブレイヤ転送アドレスとしてＢＩＣＣ  ＩＳＤＮで転送され得る。中継交換局とメディア・ゲートウェイ・アドレスとの少なくとも一方を見つけるために、ある種のＩＮサービス、ルーティング分析あるいはＢ番号分析が使用される。メディア・ゲートウェイは、例えば、コーデック、符号化、圧縮、フレーミング方式、アナウンス装置、トーン送信器、あるいはモデムなどのどのデバイスが必要であるかなどの、呼を処理するのに必要な能力に基づいて選択される。例においては、簡略のため、Ｂ番号分析についてのみ述べた。選択は主として宛先によって決定される。宛先に応じて、異なった能力のメディア・ゲートウェイのグループが探され得る。そして、必要な能力のメディア・ゲートウェイ、例えば、ＣＣＤ、モデムのサポート、インターネットのコネクティビティが選択される。
【００３４】
サーバによって確保された全てのリソースは、そのサーバによって解放されなければならない。メッセージの流れを単純にするため、メディア・ゲートウェイでのリソースの開放はここでの説明からは省略する。
【００３５】
例においては、コア・ネットワーク（ＣＮ）内部の第１の制御ノードＧＭＳＣ／ＴＳＣサーバと、ＣＮ内部の第１のメディア・ゲートウェイとの間での１対１の関係を想定した。
【００３６】
異なったメディア・ゲートウェイに渡るが、同じゲートウェイ移動通信交換局への制御シグナリング（ＩＡＭ）による着信呼を受信できるようにするために、ゲートウェイ移動通信交換局は、ＩＳＤＮユーザ・プレーンが終端し得るメディア・ゲートウェイ毎に１つのポイント・コードを有する必要がある。ＩＡＭが送信されたＤＰＣの範囲外で、ゲートウェイ移動通信交換局はＩＳＤＮユーザ・プレーンが設定されたメディア・ゲートウェイを求めることができる。
【００３７】
中継交換局が発信（着信）トラフィックに対して１つより多いメディア・ゲートウェイを制御するのを可能とするためには、中継交換局は制御されるメディア・ゲートウェイ毎に１つのポイント・コードを必要とする。選択されたメディア・ゲートウェイに対して中継交換局は特定のＯＰＣを使用しなければならない。選択されたＯＰＣに応じて、中継交換局は異なったメディア・ゲートウェイから受信したＩＳＤＮユーザ・プレーンを識別できる。
【００３８】
異なったメディア・ゲートウェイから又はそこへユーザ・プレーンを受信又は送信する別の代替的解決策は、ユーザ・プレーンが異なったメディア・ゲートウェイを介して送られた場合に、サーバ間で異なったシグナリング経路が使用されるものである。
【００３９】
異なったメディア・ゲートウェイから又はそこへユーザ・プレーンを受信又は送信する別の代替的解決策は、ユーザ・プレーンが異なったメディア・ゲートウェイを介して送られた場合に、サーバ間で異なったシグナリング経路が使用されるものである。
【００４０】
中継交換局から又はそこへ異なったメディア・ゲートウェイから又はそこへユーザ・プレーンを受信又は送信し、１つのサーバから又はそこへのシグナリングを制御する第３の代替的解決策は、ユーザ・プレーンが異なったメディア・ゲートウェイを介して送られた場合に、異なったゲートウェイに対して異なったＣＩＣが使用されるものである。
【００４１】
メディア・ゲートウェイのアドレスを転送する代わりに、ＩＡＭメッセージ内で使用されているＯＰＣによって発信メディア・ゲートウェイを識別するという考えは、ＣＮ全体を通じても可能であるが、これはｍ個のメディア・ゲートウェイを有するネットワークでは、メディア・ゲートウェイを制御できる制御サーバのそれぞれにｍ個の異なったポイント・コードを必要とする。
【００４２】
あるサーバからその他のサーバへメディア・ゲートウェイの情報を転送する別の代替的解決策は、ユーザ・プレーンが異なったメディア・ゲートウェイに送られた場合、シグナリングに異なった経路が使用されるものである。中継交換局がｍ個のメディア・ゲートウェイから呼を受信できる場合、無線ネットワーク・コントローラに向けてｍ個の異なったシグナリング経路が必要となる。
【００４３】
様々な図面についての以下の説明では、様々な信号名が使用される。これらの信号のいくつかは元々慣用的なものである。ＤＴＡＰメッセージは、ＧＳＭ  ０４．０８  Ｖ８．０．０及びＵＭＴＳ  ２４．０８  Ｖ３．０．０に定義されている。ＲＡＮＡＰメッセージは、ＵＭＴＳ  ２５．４１３  Ｖ１．０．２に定義されている。ＭＡＰメッセージは、ＧＳＭ  ０９．０２  Ｖ６．３．０及びＵＭＴＳ  ２９．００２  Ｖ１．０．２に定義されている。ＡＡＬ２メッセージは、本発明によるベアラ制御に使用される。ＤＣＰメッセージは、以下で詳細に説明するが、リソースの要求及び割当てに関して制御ノードとメディア・ゲートウェイとの間の通信で使用される。ＩＳＤＮメッセージはネットワーク制御ノードと外部ＩＳＤＮネットワークとの間のシグナリングに使用される。
【００４４】
図１は、メディア・ゲートウェイ・アドレスが逆方向に転送されている、ユーザ機器からユーザ機器への呼を示している。ここでは、呼が第１の制御ノード移動通信交換局ＭＳＣ１で開始されたとしても、更なる制御ノード移動通信交換局ＭＳＣ２でメディア・ゲートウェイＭＧＷ１が選択される。そして、メディア・ゲートウェイＭＧＷ１のアドレス及び論理ポイントが、発信移動通信交換局ＭＳＣ１にＩＳＵＰ  ＡＣＭ／ＣＧＰ／ＡＰＭあるいはいくつかの新たなメッセージと共に逆方向に転送される。移動通信交換局ＭＳＣ２は、ユーザ機器Ｂとコーデックを取り決めることができ、このコーデックのタイプをユーザ機器Ａに送る。これによりメディア・ゲートウェイＭＧＷ１ではコーデックを全く必要としない。このためトランスコードが不要となることで音声品質がより良好となる。また、符号化音声を転送するのに必要な伝送容量が少なくなり、コーデックのハードウェアが節約される。そして移動通信交換局ＭＳＣ１は、ＲＮＣ１にメディア・ゲートウェイＭＧＷ１に対するユーザ・プレーン接続を設定するように命令し、メディア・ゲートウェイＭＧＷ１にスルー接続を命令する。そして移動通信交換局ＭＳＣ２は、ＲＮＣ２にメディア・ゲートウェイＭＧＷ１に対するユーザ・プレーン接続を設定するよう命令する。このトラフィックの場合、交換に１つのメディア・ゲートウェイだけが必要とされる。
【００４５】
図１のトラフィックの例では以下の信号が必要とされる。
【００４６】
１．    ＤＴＡＰ、ＣＭサービス要求
２．    ＤＴＡＰ、設定（コーデック（ｘ，ｙ，ｚ））
３．    ＤＴＡＰ、呼の手続
４．    ＩＳＤＮ、ＩＡＭ（ＯＰＣ、ＤＰＣ、ＣＩＣ、コーデック（ｘ，ｙ））
呼の設定は発信移動通信交換局ＭＳＣ１からコーデック（ｘ，ｙ）を使用して要求される。
【００４７】
５．    ＭＡＰ、ルーティング情報送信要求
ゲートウェイ移動通信交換局ＧＭＳＣ１がホーム・ロケーション・レジスタＨＬＲにルーティング情報を問い合わせる。
【００４８】
６．    ＭＡＰ、ルーティング情報送信応答
通知が発ユーザに与えられる場合、ゲートウェイ移動通信交換局ＧＭＳＣ１は送信する番号及び表示を受信する。
【００４９】
７．    ＩＳＤＮ、アドレス完了メッセージ（ＡＣＭ）
ＡＣＭメッセージは、ゲートウェイ移動通信交換局ＧＭＳＣ１から移動通信交換局ＭＳＣ１に送信される。
【００５０】
８．    ＩＳＤＮ、アドレスメッセージＩＡＭ（ＯＰＣ、ＤＰＣ、ＣＩＣ）
ＩＡＭメッセージは、ゲートウェイ移動通信交換局ＧＭＳＣ１から移動通信交換局ＭＳＣ２に送信される。
【００５１】
９．    ＲＡＮＡＰ、ページング
１０．  ＤＴＡＰ、ページング応答
１１．  ＤＴＡＰ、設定（コーデック（ｘ，ｙ））
１２．  ＤＴＡＰ、呼の確認（コーデック（ｘ））
１３．  ＤＣＰ、リソース要求（ＭＧＷ１、ＣＩＣ）
移動通信交換局ＭＳＣ２は、メディア・ゲートウェイＭＧＷ１を選択しリソースを要求する。
【００５２】
１４．  ＤＣＰ、リソース応答（Ｐｉ１、Ｐｖ１１）
着信ポイントＰｉ２がメディア・ゲートウェイＭＧＷ１に返される。
１５．  ＤＣＰ、スルー接続（Ｐｖ１１、Ｐｉ１）
移動通信交換局ＭＳＣ２が、メディア・ゲートウェイＭＧＷ１に仮想ポイントＰｖ１１及び着信ポイントＰｉ１の逆方向スルー接続を命令する。Ｎ−ＩＳＵＰでは、発信スイッチが代わりに逆方向スルー接続を行う。
【００５３】
１６．  ＤＣＰ、リソース要求（ＭＧＷ１、Ｐｖ１１）
発信トラフィックに対してリソースが要求される。
【００５４】
１７．  ＤＣＰ、リソース応答（Ｐｏ１）
発信ポイントＰｏ１がメディア・ゲートウェイＭＧＷ１から返される。
【００５５】
１８．  ＲＡＮＡＰ、割当て要求
１９．  ＡＡＬ２、確立要求
２０．  ＡＡＬ２、確立確認
２１．  ＲＡＮＡＰ、割当て要求
２２．  ＩＳＵＰ、新たなＡＰＭ（ＭＧＷ１、Ｐｉ１）
２３．  ＩＳＵＰ、新たなＡＰＭ（ＭＧＷ１、Ｐｉ１）
２４．  ＤＴＡＰ、経過メッセージ
２５．  ＲＡＮＡＰ、割当て要求
メディア・ゲートウェイＭＧＷ１への割当て。
【００５６】
２６．  ＡＡＬ２、確立要求
２７．  ＡＡＬ２、確立確認
２８．  ＲＡＮＡＰ、割当て応答
２９．  ＤＴＡＰ、アラート
３０．  ＩＳＤＮ、アドレス完了メッセージＡＣＭ
３１．  ＩＳＤＮ、呼の手続
３２．  ＤＴＡＰ、接続
３３．  ＤＴＡＰ、接続ＡＣＫ
３４．  ＤＣＰ、スルー接続（Ｐｖ１１、Ｐｏ１）
移動通信交換局ＭＳＣ２が、メディア・ゲートウェイＭＧＷ１に仮想ポイントＰｖ１１及び発信ポイントＰｏ１のスルー接続を命令する。
【００５７】
３５．  ＤＣＰ、スルー接続（Ｐｖ１１、Ｐｉ１）
移動通信交換局ＭＳＣ２が、メディア・ゲートウェイＭＧＷ１に着信ポイントＰｉ１及び仮想ポイントＰｖ１１の両方向のスルー接続を命令する。
【００５８】
３６．  ＩＳＵＰ、応答メッセージＡＮＷ
３７．  ＩＳＵＰ、応答メッセージＡＮＷ
３８．  ＤＴＡＰ、接続
３９．  ＤＴＡＰ、接続ＡＣＫ。
【００５９】
図２は、メディア・ゲートウェイ・アドレスが逆方向に転送されている、ネットワークの外から生じるユーザ機器への呼を示している。ここで加入者Ｂはサービスされるユーザ機器Ａを呼出している。外部のＮ−ＩＳＵＰは、逆方向メッセージＡＰＭをサポートしていないと想定している。
【００６０】
１．    ＩＳＤＮ、アドレス・メッセージＩＡＭ（ＯＰＣ、ＤＰＣ、ＣＩＣ）          外部ＩＳＤＮネットワークから、移動体で終端する発呼への呼の設定が要求される。この例では、ＧＭＳＣ１／ＴＳＣ及びシグナリング・ゲートウェイＳｉｇＧＷ１が併置されている。
【００６１】
２．    ＤＣＰ、リソース要求（ＭＧＷ１、ＣＩＣｉ１）
メディア・ゲートウェイＭＧＷ１から、ＩＳＤＮネットワークの中継スイッチ１によって選択されたＣＩＣによって識別される呼に対するリソースが要求される。
【００６２】
３．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【００６３】
４．    ＭＡＰ、ルーティング情報送信要求
ゲートウェイ移動通信交換局ＧＭＳＣ１が、ホーム・ロケーション・レジスタＨＬＲにルーティング情報を問い合わせる。
【００６４】
５．    ＭＡＰ、ルーティング情報送信応答
ゲートウェイ移動通信交換局ＧＭＳＣ１が、移動通信交換局ＭＳＣのアドレスを受信する。
【００６５】
６．    ＩＳＤＮ、アドレス完了メッセージＡＣＭ
ＡＣＭメッセージがゲートウェイ移動通信交換局ＧＭＳＣ１から中継スイッチ１に送られる。
【００６６】
７．    オプションのＤＣＰ、スルー接続（Ｐｉ１、Ｐｖ１１）
ゲートウェイ移動通信交換局ＧＭＳＣ１が、メディア・ゲートウェイＭＧＷ１に着信ポイントＰｉ１及び仮想ポイントＰｖ１１のスルー接続を命令する。オプションで、メディア・ゲートウェイＭＧＷ１接続全体が、１つのＤＣＰ、スルー接続（Ｐｉ１、Ｐｖ１１）メッセージでスルー接続となり得る。
【００６７】
８．    ＩＳＤＮ、ＩＡＭ（ＯＰＣ、ＤＰＣ、ＣＩＣ、コーデック（ｘ，ｙ））
ＩＡＭメッセージが、ゲートウェイ移動通信交換局ＧＭＳＣ１から移動通信交換局ＭＳＣに送信される。移動通信交換局ＭＳＣはメディア・ゲートウェイＭＧＷ２を選択している。
【００６８】
９．    ＲＡＮＡＰ、ページング
１０．  ＤＴＡＰ、ページング応答
１１．  ＤＴＡＰ、設定（コーデック（ｘ，ｙ））
１２．  ＤＴＡＰ、呼の確認（コーデック（ｘ））
１３．  ＤＣＰ、リソース要求（ＭＧＷ２）
メディア・ゲートウェイＭＧＷ２から、そのＣＩＣによって識別される呼に対するリソースが要求される。
【００６９】
１４．  ＤＣＰ、リソース応答（Ｐｉ１、Ｐｖ２１）
着信ポイントＰｉ２及び仮想ポイントＰｖ２１が、メディア・ゲートウェイＭＧＷ２から返される。
【００７０】
１５．  ＩＳＵＰ、新たなＡＰＭ（ＭＧＷ２、Ｐｉ２、コーデックｘ）
１６．  ＤＣＰ、接続設定（ＭＧＷ１、ＭＧＷ２、Ｐｖ１１、Ｐｉ２）
ゲートウェイ移動通信交換局ＧＭＳＣ１が、その仮想ＣＩＣで識別される発信呼に対するリソースを要求し、メディア・ゲートウェイＭＧＷ１にメディア・ゲートウェイＭＧＷ２内のＰｉ２に対する接続を設定するよう命令する。
【００７１】
１７．  ＡＡＬ２、確立要求
１８．  ＡＡＬ２、確立確認
１９．  ＤＣＰ、接続設定要求（Ｐｏ１）
メディア・ゲートウェイＭＧＷ１が、発信接続が成功裏に設定されたという信号を返信し、発信ポイントＰｏ１を返す。
【００７２】
２０．  ＤＣＰ、スルー接続（Ｐｏ１、Ｐｖ１１）
ゲートウェイ移動通信交換局ＧＭＳＣ１が、メディア・ゲートウェイＭＧＷ１に発信ポイントＰｏ１及び仮想ポイントＰｖ１１のスルー接続を命令する。オプションで、メディア・ゲートウェイＭＧＷ１接続全体が、１つのＤＣＰ、スルー接続（Ｐｉ１、Ｐｏ１）メッセージでスルー接続となり得る。
【００７３】
２１．  オプションのＤＣＰ、スルー接続（Ｐｉ２、Ｐｖ２１）
移動通信交換局ＭＳＣが、メディア・ゲートウェイＭＧＷ２に着信ポイントＰｉ２及び仮想ポイントＰｖ２１のスルー接続を命令する。
【００７４】
２２．  ＤＣＰ、リソース要求
発信トラフィックに対するリソースが要求される。
【００７５】
２３．  ＤＣＰ、リソース応答
メディア・ゲートウェイＭＧＷ２から着信ポイントＰｏ２が返される。
【００７６】
２４．  ＲＡＮＡＰ、割当て要求
２５．  ＡＡＬ２、確立要求
２６．  ＡＡＬ２、確立確認
２７．  ＲＡＮＡＰ、割当て要求
２８．  ＤＴＡＰ、アラート
２９．  ＩＳＤＮ、アドレス完了メッセージＡＣＭ
３０．  ＩＳＤＮ、呼の手続ＣＰＧ
３１．  ＤＴＡＰ、接続
３２．  ＤＴＡＰ、接続ＡＣＫ
３３．  ＤＣＰ、スルー接続（Ｐｏ２、Ｐｖ２１）
ゲートウェイ移動通信交換局ＧＭＳＣ１が、メディア・ゲートウェイＭＧＷ２に発信ポイントＰｏ２及び仮想ポイントＰｖ２１のスルー接続を命令する。オプションで、メディア・ゲートウェイＭＧＷ２接続全体が、１つのＤＣＰ、スルー接続（Ｐｉ２、Ｐｏ２）メッセージでスルー接続となり得る。
【００７７】
３４．  ＩＳＵＰ、応答メッセージＡＮＷ
３５．  ＩＳＵＰ、応答メッセージＡＮＷ。
【００７８】
図３は、メディア・ゲートウェイ・アドレスが逆方向に転送されている、自身のＰＬＭＮにおけるユーザ機器へのローミング呼出しを示している。
【００７９】
外部のＮ−ＩＳＵＰは、新たなＩＳＵＰ逆方向メッセージＡＰＭをサポートしていないと想定する。トランスコーダの結合はオプションである。音声は、トランスコーダを結合せずに非圧縮音声として転送され得る。
【００８０】
１．    ＩＳＤＮ、アドレス・メッセージＩＡＭ（ＯＰＣ、ＤＰＣ、ＣＩＣ）          外部ＩＳＤＮネットワークから、移動体で終端する発呼への呼の設定が要求される。この例では、ゲートウェイ移動通信交換局／中継交換局ＧＭＳＣ／ＴＳＣ１及びシグナリング・ゲートウェイＳｉｇＧＷ１が併置されている。
【００８１】
２．    ＭＡＰ、ルーティング情報送信要求
ゲートウェイ移動通信交換局ＧＭＳＣ／ＴＳＣ１が、ホーム・ロケーション・レジスタＨＬＲにルーティング情報を問い合わせる。
【００８２】
３．    ＭＡＰ、ルーティング情報送信応答
ゲートウェイ移動通信交換局ＧＭＳＣ／ＴＳＣ１が、ＰＬＭＮ外部の移動通信交換局のローミング番号を受信する。ホーム・ロケーション・レジスタＨＬＲから受信したローミング番号が分析され、中継交換局はＢ番号の分析から受信される。
【００８３】
４．    ＤＣＰ、リソース要求（ＭＧＷ１、ＣＩＣ）
メディア・ゲートウェイＭＧＷ１から、ＩＳＤＮネットワークの中継スイッチ１によって選択されたＣＩＣによって識別される呼に対するリソースが要求される。
【００８４】
５．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【００８５】
６．    ＩＳＤＮ、アドレス完了メッセージＡＣＭ
ＡＣＭメッセージがゲートウェイ移動通信交換局ＧＭＳＣ／ＴＳＣ１から中継スイッチ１に送られる。
【００８６】
７．    ＤＣＰ、スルー接続（Ｐｉ１、Ｐｖ１１）
ゲートウェイ移動通信交換局ＧＭＳＣ／ＴＳＣ１が、メディア・ゲートウェイＭＧＷ１に着信ポイントＰｉ１及び仮想ポイントＰｖ１１のスルー接続を命令する。オプションで、メディア・ゲートウェイＭＧＷ１接続全体が、１つのＤＣＰ、スルー接続（Ｐｉ１、Ｐｏ１）メッセージでスルー接続となり得る。
【００８７】
８．    ＩＳＤＮ、ＩＡＭ（ＯＰＣ、ＤＰＣ、ＣＩＣ、オプションでコーデック（ｘ，ｙ））
ＩＡＭメッセージが、ゲートウェイ移動通信交換局ＧＭＳＣ／ＴＳＣ１から中継交換局ＴＳＣ２に送信される。中継交換局ＴＳＣ２はメディア・ゲートウェイＭＧＷ２を選択している。
【００８８】
９．    ＤＣＰ、リソース要求（ＭＧＷ２）
メディア・ゲートウェイＭＧＷ２から、そのＣＩＣによって識別される呼に対するリソースが、中継交換局ＴＳＣ２によって要求される。
【００８９】
１０．  ＤＣＰ、リソース応答（Ｐｉ２、Ｐｖ２１）
着信ポイントＰｉ２及び仮想ポイントＰｖ２１が、メディア・ゲートウェイＭＧＷ２から返される。
【００９０】
１１．  ＩＳＵＰ、新たなＡＰＭ（ＭＧＷ２、Ｐｉ２、コーデック（ｘ））
１２．  ＤＣＰ、接続設定（ＭＧＷ１、ＭＧＷ２、Ｐｖ１１、Ｐｉ２）
ゲートウェイ移動通信交換局ＧＭＳＣ／ＴＳＣ１が、その仮想ＣＩＣで識別される発信呼に対するリソースを要求し、メディア・ゲートウェイＭＧＷ１にメディア・ゲートウェイＭＧＷ２内のＰｉ２に対する接続を設定するよう命令する。
【００９１】
１３．  ＡＡＬ２、確立要求
１４．  ＡＡＬ２、確立確認
１５．  ＤＣＰ、接続設定要求（Ｐｏ１）
メディア・ゲートウェイＭＧＷ１が、発信接続が成功裏に設定されたという信号を返信し、発信ポイントＰｏ１を返す。
【００９２】
１６．  ＤＣＰ、スルー接続（Ｐｏ１、Ｐｖ１１）
ゲートウェイ移動通信交換局ＧＭＳＣ／ＴＳＣ１が、メディア・ゲートウェイＭＧＷ１に発信ポイントＰｏ１及び仮想ポイントＰｖ１１のスルー接続を命令する。オプションで、コーデックｘがリンクに入れられる。
【００９３】
１７．  ＤＣＰ、スルー接続（Ｐｉ２、Ｐｖ２１）
中継交換局ＴＳＣ２が、メディア・ゲートウェイＭＧＷ２に着信ポイントＰｉ２及び仮想ポイントＰｖ２１のスルー接続を命令する。
【００９４】
１８．  ＤＣＰ、接続設定（ＭＧＷ２、Ｐｖ２１）
中継交換局ＴＳＣ２が、その仮想ＣＩＣによって識別される発信呼に対するリソースを要求し、メディア・ゲートウェイＭＧＷ２に中継スイッチ２に対する接続の設定を命令する。
【００９５】
１９．  ＤＣＰ、接続設定応答（Ｐｏ２、ＣＩＣ）
メディア・ゲートウェイＭＧＷ２が、発信接続が成功裏に設定されたという信号を返信し、発信ポイントＰｏ２を返す。
【００９６】
２０．  ＤＣＰ、スルー接続（Ｐｏ２、Ｐｖ２１）
中継交換局ＴＳＣ２が、メディア・ゲートウェイＭＧＷ２に発信ポイントＰｏ２及び仮想ポイントＰｖ２１のスルー接続を命令する。
【００９７】
２１．  ＩＳＤＮ、アドレス・メッセージＩＡＭ（ＯＰＣ、ＤＰＣ、ＣＩＣ）          ＩＡＭメッセージが、中継交換局ＴＳＣ２から中継スイッチ２に送信される。
【００９８】
２２．  ＩＳＤＮ、アドレス完了メッセージＡＣＭ
２３．  ＩＳＤＮ、呼の手続ＣＰＧ
２４．  ＩＳＤＮ、呼の手続ＣＰＧ
２５．  ＩＳＤＮ、応答メッセージＡＮＷ
２６．  ＩＳＤＮ、応答メッセージＡＮＷ
ＡＮＭメッセージが、中継交換局ＴＳＣ２によって伝えられる。
【００９９】
２７．  ＩＳＤＮ、応答ＡＮＭ
ＡＮＭメッセージが、ゲートウェイ移動通信交換局ＧＭＳＣ／ＴＳＣ１によって伝えられる。
【０１００】
図４は、メディア・ゲートウェイ・アドレスが逆方向に転送されている、ゲートウェイ移動通信交換局ＧＭＳＣ／ＴＳＣ１からＩＳＤＮ番号によって識別されるＩＳＤＮ加入者への着信転送の例を示している。移動通信交換局におけるＣＦＮＲＥＡに対して、ゲートウェイ移動通信交換局ＧＭＳＣ／ＴＳＣ１におけるＣＦＮＲＥＡと同じ処理が適用される。従って、ＧＭＳＣにおけるＣＦＮＲＥＡに対するシグナリングだけを以下で説明する。
【０１０１】
外部のＮ−ＩＳＵＰは、新たなＩＳＵＰ逆方向メッセージＡＰＭをサポートしていないと想定する。トランスコーダの結合はオプションである。音声は、トランスコーダを結合せずに非圧縮音声として転送され得る。
【０１０２】
１．    ＩＳＤＮ、アドレス・メッセージＩＡＭ（ＯＰＣ、ＤＰＣ、ＣＩＣ）          外部ＩＳＤＮネットワークから、移動体で終端する発呼への呼の設定が要求される。この例では、ゲートウェイ移動通信交換局／中継交換局ＧＭＳＣ／ＴＳＣ１及びシグナリング・ゲートウェイＳｉｇＧＷ１が併置されている。
【０１０３】
２．    ＭＡＰ、ルーティング情報送信要求
ゲートウェイ移動通信交換局ＧＭＳＣ／ＴＳＣ１が、ホーム・ロケーション・レジスタＨＬＲにルーティング情報を問い合わせる。
【０１０４】
３．    ＭＡＰ、ルーティング情報送信応答
通知が発ユーザに与えられる場合、ゲートウェイ移動通信交換局ＧＭＳＣ／ＴＳＣ１が、転送先の番号及び表示を受信する。ホーム・ロケーション・レジスタＨＬＲから受信した転送先番号が分析され、中継交換局ＴＳＣ２のアドレスはＢ番号の分析から受信される。
【０１０５】
４．    ＤＣＰ、リソース要求（ＭＧＷ１、ＣＩＣ）
メディア・ゲートウェイＭＧＷ１から、ＩＳＤＮネットワークの中継スイッチ１によって選択されたＣＩＣによって識別される着信呼に対するリソースが要求される。
【０１０６】
５．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【０１０７】
６．    ＩＳＤＮ、アドレス完了メッセージＡＣＭ
ＡＣＭメッセージがゲートウェイ移動通信交換局ＧＭＳＣ／ＴＳＣ１から中継スイッチ１に送られる。ＡＣＭメッセージには、帯域外通知が含まれてもよい。これはアナウンス装置のリンクに入る及びそこから出るシグナリングと、ユーザ・プレーン伝送とを節約する。
【０１０８】
７．    オプションのＤＣＰ、接続アナウンス装置（Ｐｉ１）
オプションで、帯域内通知が必要であれば、アナウンス装置が接続される。
【０１０９】
８．    オプションのＤＣＰ、切断アナウンス装置（Ｐｉ１）
アナウンスの後、アナウンス装置は切断される。
【０１１０】
９．    ＤＣＰ、スルー接続（Ｐｉ１、Ｐｖ１１）
ゲートウェイ移動通信交換局ＧＭＳＣ／ＴＳＣ１が、メディア・ゲートウェイＭＧＷ１に着信ポイントＰｉ１及び仮想ポイントＰｖ１１のスルー接続を命令する。
【０１１１】
１０．  ＩＳＤＮ、ＩＡＭ（ＯＰＣ、ＤＰＣ、ＣＩＣ、コーデック（ｘ，ｙ））
ＩＡＭメッセージが、ゲートウェイ移動通信交換局ＧＭＳＣ／ＴＳＣ１から中継交換局ＴＳＣ２に送信される。中継交換局ＴＳＣ２は、メディア・ゲートウェイＭＧＷ２とコーデックｘを選択する。
【０１１２】
１１．  ＤＣＰ、リソース要求（ＭＧＷ２）
メディア・ゲートウェイＭＧＷ２から、そのＣＩＣによって識別される呼に対するリソースが要求される。
【０１１３】
１２．  ＤＣＰ、リソース応答（Ｐｉ２、Ｐｖ２１）
着信ポイントＰｉ２及び仮想ポイントＰｖ２１が、メディア・ゲートウェイＭＧＷ２から返される。
【０１１４】
１３．  ＩＳＵＰ、新たなＡＰＭ（ＭＧＷ２、Ｐｉ２、コーデック（ｘ））
１４．  ＤＣＰ、接続設定（ＭＧＷ１、ＭＧＷ２、Ｐｖ１１、Ｐｉ２）
ＧＭＳＣ／ＴＳＣ１が、その仮想ＣＩＣで識別される発信呼に対するリソースを要求し、メディア・ゲートウェイＭＧＷ１にメディア・ゲートウェイＭＧＷ２内のＰｉ２に対する接続を設定するよう命令する。
【０１１５】
１５．  ＡＡＬ２、確立要求
１６．  ＡＡＬ２、確立確認
１７．  ＤＣＰ、接続設定要求（Ｐｏ１）
メディア・ゲートウェイＭＧＷ１が、発信接続が成功裏に設定されたという信号を返信し、発信ポイントＰｏ１を返す。
【０１１６】
１８．  スルー接続（Ｐｏ１、Ｐｖ１１）
ゲートウェイ移動通信交換局ＧＭＳＣ／ＴＳＣ１が、メディア・ゲートウェイＭＧＷ１に発信ポイントＰｏ１及び仮想ポイントＰｖ１１のスルー接続を命令する。オプションで、コーデックｘがリンクに入れられる。
【０１１７】
１９．  ＤＣＰ、スルー接続（Ｐｉ２、Ｐｖ２１）
中継交換局ＴＳＣ２が、メディア・ゲートウェイＭＧＷ２に着信ポイントＰｉ２及び仮想ポイントＰｖ２１のスルー接続を命令する。
【０１１８】
２０．  ＤＣＰ、接続設定（ＭＧＷ２、Ｐｖ２１）
中継交換局ＴＳＣ２が、その仮想ＣＩＣによって識別される発信呼に対するリソースを要求し、メディア・ゲートウェイＭＧＷ２に中継スイッチ２に対する接続の設定を命令する。
【０１１９】
２１．  ＤＣＰ、接続設定応答（Ｐｏ２、ＣＩＣ）
メディア・ゲートウェイＭＧＷ２が、発信接続が成功裏に設定されたという信号を返信し、発信ポイントＰｏ２を返す。
【０１２０】
２２．  ＤＣＰ、スルー接続（Ｐｏ２、Ｐｖ２１）
中継交換局ＴＳＣ２が、メディア・ゲートウェイＭＧＷ２に発信ポイントＰｏ２及び仮想ポイントＰｖ２１のスルー接続を命令する。オプションで、コーデックｘがリンクに入れられる。
【０１２１】
２３．  ＩＳＤＮ、アドレス・メッセージＩＡＭ（ＯＰＣ、ＤＰＣ、ＣＩＣ）          ＩＡＭメッセージが、中継交換局ＴＳＣ２から中継スイッチ２に送信される。
【０１２２】
２４．  ＩＳＤＮ、アドレス完了メッセージＡＣＭ
２５．  ＩＳＤＮ、呼の手続ＣＰＧ
２６．  ＩＳＤＮ、呼の手続ＣＰＧ
２７．  ＩＳＤＮ、応答メッセージＡＮＷ
２８．  ＩＳＤＮ、応答メッセージＡＮＷ
ＡＮＭメッセージが、中継交換局ＴＳＣ２によって伝えられる。
【０１２３】
２９．  ＩＳＤＮ、応答ＡＮＭ
ＡＮＭメッセージが、ゲートウェイ移動通信交換局ＧＭＳＣ／ＴＳＣ１によって伝えられる。
【０１２４】
図５は、メディア・ゲートウェイ・アドレスが逆方向に転送されている、ＧＭＳＣ内での着信転送を伴うユーザ機器から、ユーザ機器番号で識別される加入者への呼を示している。この例では、ユーザ機器Ａがユーザ機器Ｂを呼出す。ユーザ機器Ｂに連絡できないので、アナウンスを伴うＣＦＮＲＥＡがゲートウェイ移動通信交換局ＧＭＳＣ１に含まれる。転送は、第３のユーザ機器Ｃに対してなされる。従って、呼は、ゲートウェイ移動通信交換局ＧＭＳＣ２に向けて送られ、ＧＭＳＣ２はユーザ機器Ｃが位置する移動通信交換局ＭＳＣ２に連絡を取る。そして移動通信交換局ＭＳＣ２はメディア・ゲートウェイＭＧＷ２を選択し、ＭＧＷ２はそれを移動通信交換局ＭＳＣ１に逆方向で伝える。そして移動通信交換局ＭＳＣ１は、ＲＮＣ１にメディア・ゲートウェイＭＧＷ２に対する接続の設定を命令する。
【０１２５】
ＧＭＳＣ内のユーザ機器への後続する転送のため、ゲートウェイ移動通信交換局ＧＭＳＣ２に代えて、ゲートウェイ移動通信交換局ＧＭＳＣ３などが含まれ得る。移動通信交換局ＭＳＣ１がコーデックのリストを移動通信交換局ＭＳＣ２に伝えるので、移動通信交換局ＭＳＣ２は、ユーザ機器２とリストから選択するコーデックを取り決め、それを逆方向で報告する。ユーザ機器１はこのコーデックを使用しなければならず、ネットワーク内ではそれ以上の符号化は全く必要ない。この例では、アナウンス装置がコーデックｘを使用し、ユーザ機器Ｃがコーデックｙを使用する。
【０１２６】
１．    ＤＴＡＰ、ＣＭサービス要求
２．    ＤＴＡＰ、設定（コーデック（ｘ，ｙ））
３．    ＤＴＡＰ、呼の手続
４．    ＩＳＤＮ、ＩＡＭ（ＯＰＣ、ＤＰＣ、ＣＩＣ、コーデック（ｘ，ｙ））
発信移動通信交換局ＭＳＣ１から呼の設定が要求される。
【０１２７】
５．    ＭＡＰ、ルーティング情報送信要求
ゲートウェイ移動通信交換局ＧＭＳＣ１が、ホーム・ロケーション・レジスタＨＬＲにルーティング情報を問い合わせる。
【０１２８】
６．    ＭＡＰ、ルーティング情報送信応答
通知が発ユーザに与えられる場合、ゲートウェイ移動通信交換局ＧＭＳＣ１が、転送先の番号を表示を受信する。
【０１２９】
７．    ＤＣＰ、リソース要求（ＭＧＷ１、ＣＩＣ）
メディア・ゲートウェイＭＧＷ１から、そのＣＩＣによって識別される呼に対するリソースが要求される。
【０１３０】
８．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【０１３１】
９．    ＩＳＵＰ、新たなＡＰＭ（ＭＧＷ１、Ｐｉ１、コーデックｘ）
アナウンスが必要なので、ゲートウェイ移動通信交換局ＧＭＳＣ１はメディア・ゲートウェイＭＧＷ１及びコーデックｘを選択する。
【０１３２】
１０．  ＤＴＡＰ、経過（コーデックｘ）
１１．  ＲＡＮＡＰ、割当てよう急（ＭＧＷ１、Ｐｉ１）
１２．  ＡＡＬ２、確立要求
１３．  ＡＡＬ２、確立確認
１４．  ＲＡＮＡＰ、割当て応答
１５．  ＩＳＤＮ、アドレス完了メッセージＡＣＭ
ＡＣＭメッセージが、ゲートウェイ移動通信交換局ＧＭＳＣ１から移動通信交換局ＭＳＣ１に送信される。ＡＣＭメッセージには、帯域外通知が含まれてもよい。これはアナウンス装置のリンクに入る及びそこから出るシグナリングと、ユーザ・プレーン伝送とを節約する。
【０１３３】
１６．  ＤＣＰ、接続アナウンス装置（Ｐｉ１）
帯域内通知が要求されているので、アナウンス装置が接続されている。
【０１３４】
１７．  ＤＣＰ、アナウンス装置切断（Ｐｉ１）
アナウンスの後に、アナウンス装置が切断される。
【０１３５】
１８．  ＩＳＤＮ、ＩＡＭ（ＯＰＣ、ＤＰＣ、ＣＩＣ、コーデック（ｘ，ｙ））
ＩＡＭメッセージが、ゲートウェイ移動通信交換局ＧＭＳＣ１からゲートウェイ移動通信交換局ＧＭＳＣ２に送信される。
【０１３６】
１９．  ＭＡＰ、ルーティング情報送信要求
ゲートウェイ移動通信交換局ＧＭＳＣ２が、ホーム・ロケーション・レジスタＨＬＲにルーティング情報を問い合わせる。
【０１３７】
２０．  ＭＡＰ、ルーティング情報送信応答
ゲートウェイ移動通信交換局ＧＭＳＣ２が、ＭＳＣアドレスをホーム・ロケーション・レジスタＨＬＲから受信する。
【０１３８】
２１．  ＩＳＤＮ、ＩＡＭ（ＯＰＣ、ＤＰＣ、ＣＩＣ、コーデック（ｘ，ｙ））
ＩＡＭメッセージが、ゲートウェイ移動通信交換局ＧＭＳＣ２から移動通信交換局ＭＳＣ２に送信される。移動通信交換局ＭＳＣ２はメディア・ゲートウェイＭＧＷ２を選択する。
【０１３９】
２２．  ＲＡＮＡＰ、ページング
２３．  ＤＴＡＰ、ページング応答
２４．  ＤＴＡＰ、設定（コーデック（ｘ，ｙ））
２５．  ＤＴＡＰ、呼の確認（コーデックｙ）
２６．  ＤＣＰ、リソース要求（ＭＧＷ２、ＣＩＣ）
メディア・ゲートウェイＭＧＷ２から、そのＣＩＣによって識別される呼に対するリソースが要求される。
【０１４０】
２７．  ＤＣＰ、リソース応答（Ｐｉ２、Ｐｖ２１）
着信ポイントＰｉ２がメディア・ゲートウェイＭＧＷ２から返される。
【０１４１】
２８．  ＤＣＰ、スルー接続（Ｐｖ２１、Ｐｉ２）
移動通信交換局ＭＳＣ２が、メディア・ゲートウェイＭＧＷ２に仮想ポイントＰｖ２１及び着信ポイントＰｉ２の逆方向スルー接続を命令する。Ｎ−ＩＳＵＰでは、発信スイッチが代わりに逆方向スルー接続を行う。
【０１４２】
２９．  ＤＣＰ、リソース要求（ＭＧＷ１、Ｐｖ２１）
発信トラフィックに対するリソースが要求される。
【０１４３】
３０．  ＤＣＰ、リソース応答（Ｐｏ２）
メディア・ゲートウェイＭＧＷ２から発信ポイントＰｉ２が返される。
【０１４４】
３１．  ＲＡＮＡＰ、割当て要求
３２．  ＡＡＬ２、確立要求
３３．  ＡＡＬ２、確立確認
３４．  ＲＡＮＡＰ、割当て応答
３５．  ＩＳＵＰ、新たなＡＰＭ（ＭＧＷ２、Ｐｉ２、コーデックｙ）
３６．  ＩＳＵＰ、新たなＡＰＭ（ＭＧＷ２、Ｐｉ２、コーデックｙ）
３７．  ＩＳＵＰ、新たなＡＰＭ（ＭＧＷ２、Ｐｉ２、コーデックｙ）
３８．  ＲＡＮＡＰ、割当て要求
メディア・ゲートウェイＭＧＷ２への後続する割当て。これはまたＲＮＣ１からメディア・ゲートウェイＭＧＷ１への接続を解放する。
【０１４５】
３９．  ＤＴＡＰ、経過（コーデックｘ）
４０．  ＡＡＬ２、確立要求
４１．  ＡＡＬ２、確立確認
４２．  ＲＡＮＡＰ、割当て応答
４３．  ＤＴＡＰ、アラート
４４．  ＩＳＤＮ、アドレス完了メッセージＡＣＭ
４５．  ＩＳＤＮ、呼の手続ＣＰＧ
４６．  ＩＳＤＮ、呼の手続ＣＰＧ
４７．  ＤＴＡＰ、アラート
４８．  ＤＴＡＰ、接続
４９．  ＤＴＡＰ、接続ＡＣＫ
５０．  ＤＣＰ、スルー接続（Ｐｖ２１、Ｐｉ２）
移動通信交換局ＭＳＣ２が、メディア・ゲートウェイＭＧＷ２に着信ポイントＰｉ２及び仮想ポイントＰｖ２１の両方向のスルー接続を命令する。
【０１４６】
５１．  ＤＣＰ、スルー接続（Ｐｖ２１、Ｐｏ２）
移動通信交換局ＭＳＣ２が、メディア・ゲートウェイＭＧＷ２に仮想ポイントＰｖ２１及び着信ポイントＰｉ２のスルー接続を命令する。オプションで、メディア・ゲートウェイＭＧＷ２の接続が、１つのＤＣＰ、スルー接続（Ｐｉ２、Ｐｏ２）メッセージでスルー接続となり得る。
【０１４７】
５２．  ＩＳＵＰ、アドレス完了メッセージＡＮＭ
５３．  ＩＳＵＰ、アドレス完了メッセージＡＮＭ
５４．  ＩＳＵＰ、アドレス完了メッセージＡＮＭ
５５．  ＤＴＡＰ、接続
５６．  ＤＴＡＰ、接続ＡＣＫ。
【０１４８】
図６は、メディア・ゲートウェイ・アドレスが逆方向に転送されている、１つのメディア・ゲートウェイにおける、コール・ウェイティング及びウェイティング・コールの受け入れを示している。
【０１４９】
ここで加入者Ａはサービスされるユーザ機器Ｂを呼出しており、ユーザ機器Ｂは付加サービスＣＷ及びＨＯＬＤを備えている。加入者Ａからユーザ機器Ｂへの呼がアクティブとなった後、メディア・ゲートウェイＭＧＷ２を通じて別の加入者Ｃからユーザ機器Ｂへの着呼が受信される。ユーザ機器ＢはＣからのウェイティング・コールを受け入れ、従ってＡからの呼を保留にする必要がある。加入者Ａからユーザ機器Ｂへの呼に対するユーザ・プレーンは、メディア・ゲートウェイＭＧＷ１からメディア・ゲートウェイＭＧＷ２へ送られ、加入者Ｃからユーザ機器Ｂへの呼に対するユーザ・プレーンは、メディア・ゲートウェイＭＧＷ２がＣＣＤを提供するので、メディア・ゲートウェイＭＧＷ３からメディア・ゲートウェイＭＧＷ２へ送られる。ユーザ機器Ｂがウェイティング・コールを受け入れた後、移動通信交換局ＭＳＣはメディア・ゲートウェイＭＧＷ２に、前にアクティブであった呼をウェイティング・コールに切り換えるよう命令する。そしてアクティブな呼は保留の呼となる。アクティブな呼とウェイティング・コールとの両方が、例えば、同じコーデックでの音声などの同じサービスを用いていると想定し、そのため無線ネットワーク・コントローラＲＮＣとメディア・ゲートウェイＭＧＷ１との間のＡＡＬ２接続は再使用され得る。これはアクティブ及び保留の呼の間での高速な切り換えを可能とし、後で多数間での通話が要求された場合、会議通話装置だけをメディア・ゲートウェイＭＧＷ２に接続すればよい。
【０１５０】
この方式はこのトラフィックの事例においては、２つのメディア・ゲートウェイの代わりに３つのメディア・ゲートウェイを必要とする。加入者Ｃがこのネットワーク内の移動体の加入者であれば、メディア・ゲートウェイＭＧＷ１及びメディア・ゲートウェイＭＧＷ２の２つのメディア・ゲートウェイだけが必要となる。
【０１５１】
外部のＮ−ＩＳＵＰが、新たなＩＳＵＰの逆方向メッセージＡＰＭをサポートしていないと想定する。後で多数間での通話が要求された場合、会議通話装置をメディア・ゲートウェイＭＧＷ２に接続する必要がある。
【０１５２】
現在のＣＣＤはＰＣＭの符号化だけをサポートしているので、着信のレッグにおいて、例えば、各呼のレッグでコーデックｘなど、それぞれのメディア・ゲートウェイにおいて使用されるのと同じコーデックが使用されるべきである。別の解決策は、例えば、各ゲートウェイ移動通信交換局ＧＭＳＣ／ＴＳＣに、コーデックをリンクから外すよう命令するＡＰＭなどの、ＩＳＵＰメッセージを送信することである。
【０１５３】
１．    ＩＳＤＮ、アドレス・メッセージＩＡＭ（ＯＰＣ、ＤＰＣ、ＣＩＣ）          外部ＩＳＤＮネットワークから、移動体で終端する発呼への呼の設定が要求される。この例では、ＧＭＳＣ１／ＴＳＣ１及びシグナリング・ゲートウェイ１が併置されている。
【０１５４】
２．    ＤＣＰ、リソース要求（ＭＧＷ１、ＣＩＣ）
メディア・ゲートウェイＭＧＷ１から、ＩＳＤＮネットワークの中継スイッチ１によって選択されたＣＩＣによって識別される呼に対するリソースが要求される。
【０１５５】
３．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【０１５６】
４．    ＭＡＰ、ルーティング情報送信要求
ゲートウェイ移動通信交換局ＧＭＳＣ１が、ホーム・ロケーション・レジスタＨＬＲにルーティング情報を問い合わせる。
【０１５７】
５．    ＭＡＰ、ルーティング情報送信応答
ゲートウェイ移動通信交換局ＧＭＳＣ１が、移動通信交換局ＭＳＣのアドレスを受信する。
【０１５８】
６．    ＩＳＤＮ、アドレス完了メッセージＡＣＭ
ＡＣＭメッセージがゲートウェイ移動通信交換局ＧＭＳＣ１／ＴＳＣ１から中継スイッチ１に送られる。
【０１５９】
７．    ＤＣＰ、スルー接続（Ｐｉ１、Ｐｖ１１）
ゲートウェイ移動通信交換局ＧＭＳＣ１／ＴＳＣ１が、メディア・ゲートウェイＭＧＷ１に着信ポイントＰｉ１及び仮想ポイントＰｖ１１のスルー接続を命令する。
【０１６０】
８．    ＩＳＤＮ、ＩＡＭ（ＯＰＣ、ＤＰＣ、ＣＩＣ、コーデック（ｘ，ｙ））
ＩＡＭメッセージが、ゲートウェイ移動通信交換局ＧＭＳＣ１／ＴＳＣ１から移動通信交換局ＭＳＣに送信される。移動通信交換局ＭＳＣはメディア・ゲートウェイＭＧＷ２を選択している。
【０１６１】
９．    ＲＡＮＡＰ、ページング
１０．  ＤＴＡＰ、ページング応答
１１．  ＤＴＡＰ、設定（コーデック（ｘ，ｙ））
１２．  ＤＴＡＰ、呼の確認（コーデック（ｘ））
１３．  ＤＣＰ、リソース要求（ＭＧＷ２）
メディア・ゲートウェイＭＧＷ２から、そのＣＩＣによって識別される呼に対するリソースが要求される。
【０１６２】
１４．  ＤＣＰ、リソース応答（Ｐｉ２、Ｐｖ２１）
着信ポイントＰｉ１及び仮想ポイントＰｖ２１が、メディア・ゲートウェイＭＧＷ２から返される。
【０１６３】
１５．  ＩＳＵＰ、新たなＡＰＭ（ＭＧＷ２、Ｐｉ２、コーデック（ｘ））
１６．  ＤＣＰ、接続設定（ＭＧＷ１、ＭＧＷ２、Ｐｖ１１、Ｐｉ２）
ゲートウェイ移動通信交換局ＧＭＳＣ１／ＴＳＣ１が、その仮想ＣＩＣで識別される発信呼に対するリソースを要求し、メディア・ゲートウェイＭＧＷ１にメディア・ゲートウェイＭＧＷ２内のＰｉ２に対する接続を設定するよう命令する。
【０１６４】
１７．  ＡＡＬ２、確立要求
１８．  ＡＡＬ２、確立確認
１９．  ＤＣＰ、接続設定要求（Ｐｏ１）
メディア・ゲートウェイＭＧＷ１が、発信接続が成功裏に設定されたという信号を返信し、発信ポイントＰｏ１を返す。
【０１６５】
２０．  ＤＣＰ、スルー接続（Ｐｏ１、Ｐｖ１１）
ゲートウェイ移動通信交換局ＧＭＳＣ１／ＴＳＣ１が、メディア・ゲートウェイＭＧＷ１に発信ポイントＰｏ１及び仮想ポイントＰｖ１１のスルー接続を命令する。
【０１６６】
２１．  ＤＣＰ、スルー接続（Ｐｉ２、Ｐｖ２１）
移動通信交換局ＭＳＣが、メディア・ゲートウェイＭＧＷ２に着信ポイントＰｉ２及び仮想ポイントＰｖ２１のスルー接続を命令する。
【０１６７】
２２．  ＤＣＰ、リソース要求（ＭＧＷ２、Ｐｖ２１）
発信トラフィックに対するリソースが要求される。
【０１６８】
２３．  ＤＣＰ、リソース応答
メディア・ゲートウェイＭＧＷ２から発信ポイントＰｏ２が返される。
【０１６９】
２４．  ＲＡＮＡＰ、割当て要求
２５．  ＡＡＬ２、確立要求
２６．  ＡＡＬ２、確立確認
２７．  ＲＡＮＡＰ、割当て要求
２８．  ＤＴＡＰ、アラート
２９．  ＩＳＤＮ、アドレス完了メッセージＡＣＭ
３０．  ＩＳＤＮ、呼の手続ＣＰＧ
３１．  ＤＴＡＰ、接続
３２．  ＤＴＡＰ、接続ＡＣＫ
３３．  ＤＣＰ、スルー接続（Ｐｏ２、Ｐｖ２１）
移動通信交換局ＭＳＣが、メディア・ゲートウェイＭＧＷ２に発信ポイントＰｏ２及び仮想ポイントＰｖ２１のスルー接続を命令する。
【０１７０】
３４．  ＩＳＵＰ、応答メッセージＡＮＷ
３５．  ＩＳＵＰ、応答メッセージＡＮＷ
３６．  ＩＳＤＮ、アドレス・メッセージＩＡＭ（ＯＰＣ、ＤＰＣ、ＣＩＣ）          外部ＩＳＤＮネットワークから、移動体で終端する発呼への呼の設定が要求される。この例では、ＧＭＳＣ２／ＴＳＣ２及びシグナリング・ゲートウェイ２が併置されている。
【０１７１】
３７．  ＤＣＰ、リソース要求（ＭＧＷ３、ＣＩＣ）
メディア・ゲートウェイＭＧＷ３から、ＩＳＤＮネットワークの中継スイッチ２によって選択されたＣＩＣによって識別される呼に対するリソースが要求される。
【０１７２】
３８．  ＤＣＰ、リソース応答（Ｐｉ３、Ｐｖ３１）
着信ポイントＰｉ３及び仮想ポイントＰｖ３１がメディア・ゲートウェイＭＧＷ３から返される。
【０１７３】
３９．  ＭＡＰ、ルーティング情報送信要求
ゲートウェイ移動通信交換局ＧＭＳＣ２が、ホーム・ロケーション・レジスタＨＬＲにルーティング情報を問い合わせる。
【０１７４】
４０．  ＭＡＰ、ルーティング情報送信
ゲートウェイ移動通信交換局ＧＭＳＣ２が、移動通信交換局ＭＳＣのアドレスを受信する。
【０１７５】
４１．  ＩＳＤＮ、アドレス完了メッセージＡＣＭ
ＡＣＭメッセージがゲートウェイ移動通信交換局ＧＭＳＣ２／ＴＳＣ２から中継スイッチ２に送られる。
【０１７６】
４２．  ＤＣＰ、スルー接続（Ｐｉ３、Ｐｖ３１）
ゲートウェイ移動通信交換局ＧＭＳＣ２／ＴＳＣ２が、メディア・ゲートウェイＭＧＷ３に着信ポイントＰｉ３及び仮想ポイントＰｖ３１のスルー接続を命令する。
【０１７７】
４３．  ＩＳＤＮ、アドレス・メッセージＩＡＭ（ＯＰＣ、ＤＰＣ、ＣＩＣ）          ＩＡＭメッセージが、ゲートウェイ移動通信交換局ＧＭＳＣ２／ＴＳＣ２から、メディア・ゲートウェイＭＧＷ２を制御している移動通信交換局ＭＳＣに送信される。
【０１７８】
４４．  ＤＴＡＰ、設定（コーデック（ｘ））
４５．  ＤＴＡＰ、呼の確認（コーデック（ｘ））
４６．  ＤＣＰ、リソース要求（ＭＧＷ２）
そのＣＩＣによって識別される着呼に対するリソースが要求される。
【０１７９】
４７．  ＤＣＰ、リソース応答（Ｐｉ２２、Ｐｖ２２）
着信ポイントＰｉ２及び仮想ポイントＰｖ２１が、メディア・ゲートウェイＭＧＷ２から返される。
【０１８０】
４８．  ＤＴＡＰ、アラート
４９．  ＩＳＤＮ、アドレス完了メッセージＡＣＭ
５０．  ＩＳＤＮ、呼の手続ＣＰＧ
５１．  ＤＴＡＰ、ＨＯＬＤ（Ｂ）
５２．  ＤＴＡＰ、ＨＯＬＤ  ＡＣＫ
５３．  ＩＳＵＰ、呼の手続メッセージＣＰＧ（Ｂ保留）
５４．  ＩＳＵＰ、呼の手続メッセージＣＰＧ（Ｂ保留）
５５．  ＩＳＵＰ、新たなＡＰＭ（ＭＧＷ２、Ｐｉ２２、コーデック（ｘ））
５６．  ＤＣＰ、接続設定（ＭＧＷ３、ＭＧＷ２、Ｐｖ３１、Ｐｉ２２）
ゲートウェイ移動通信交換局ＧＭＳＣ２／ＴＳＣ２が、その仮想ＣＩＣで識別される発信呼に対するリソースを要求し、メディア・ゲートウェイＭＧＷ３にメディア・ゲートウェイＭＧＷ２内のＰｉ２２に対する接続を設定するよう命令する。
【０１８１】
５７．  ＡＡＬ２、確立要求
５８．  ＡＡＬ２、確立確認
５９．  ＤＣＰ、接続設定応答（Ｐｏ３）
メディア・ゲートウェイＭＧＷ３が、発信接続が成功裏に設定されたという信号を返信し、発信ポイントＰｏ３を返す。
【０１８２】
６０．  ＤＣＰ、スルー接続（Ｐｏ３、Ｐｖ３１）
ゲートウェイ移動通信交換局ＧＭＳＣ２／ＴＳＣ２が、メディア・ゲートウェイＭＧＷ３に発信ポイントＰｏ３及び仮想ポイントＰｖ３１のスルー接続を命令する。
【０１８３】
６１．  ＤＣＰ、スルー接続（Ｐｉ２２、Ｐｖ２２）
移動通信交換局ＭＳＣが、メディア・ゲートウェイＭＧＷ２に着信ポイントＰｉ２２及び仮想ポイントＰｖ２２のスルー接続を命令する。
【０１８４】
６２．  ＤＣＰ、切断
６３．  ＤＴＡＰ、接続
６４．  ＤＴＡＰ、接続ＡＣＫ
６５．  ＤＣＰ、スルー接続（Ｐｖ２２、Ｐｏ２）
移動通信交換局ＧＭＳＣ１が、メディア・ゲートウェイＭＧＷ２に仮想ポイントＰｖ２２及び発信ポイントＰｏ２のスルー接続を命令する。これは無線ネットワーク・コントローラＲＮＣとメディア・ゲートウェイＭＧＷ２との間の既存のユーザ・プレーンを、加入者Ｃのユーザ・プレーンと接続する。
【０１８５】
６６．  ＩＳＵＰ、応答メッセージＡＮＷ
６７．  ＩＳＵＰ、応答メッセージＡＮＷ。
【０１８６】
図７は、メディア・ゲートウェイ・アドレスが逆方向に転送されている、ホームＰＬＭＮにおけるローミング・ユーザ機器呼出しレッグ及びビジターＰＬＭＮにおけるローミング・ユーザ機器呼出しレッグを示している。
【０１８７】
この例は、着呼が受信される第１の中継ネットワーク、ＩＡＭ／ＡＰＭ方式が実行されるＡＴＭベースのホームＰＬＭＮ、ＩＡＭ／ＡＰＭ方式が実行されるＳＴＭベースのＩＳＵＰネットワーク、及びＩＡＭ／ＡＰＭ方式が実行される終端のビジターＰＬＭＮ間の相互作用を示している。
【０１８８】
ビジターＰＬＭＮに関する詳細な信号の説明は、図２に関する上記の説明からわかるであろう。同様に、右側のホームＰＬＭＮに関する詳細な説明は、図３に関する上記の説明からわかるであろう。
【０１８９】
ここでサービスされるユーザ機器Ｂは、中継スイッチ１を介して加入者Ａからの呼を受信する。ＩＡＭはコーデックのリストなしに受信され、中継交換局ＴＳＣ１がＩＡＭにコーデックのリストを付加し、ＩＡＭをゲートウェイ移動通信交換局ＧＭＳＣ／ＴＳＣ１に送る。ＧＭＳＣ／ＴＳＣ１は、ホーム・ロケーション・レジスタＨＬＲに問い合わせ、移動通信交換局ＭＳＣのアドレスを得る。移動通信交換局ＭＳＣは別のＰＬＭＮに属しており、ＳＴＭネットワークを介してのみ連絡できる。従って、ゲートウェイ移動通信交換局ＧＭＳＣ／ＴＳＣ１は、ＩＡＭをコーデックのリストと共に、メディア・ゲートウェイＭＧＷ２を制御している中継交換局ＴＳＣ２に送る。中継交換局ＴＳＣ２は、中継スイッチ２及び中継スイッチ３からなる中継ＳＴＭネットワークと相互に動作する。この中継ネットワークは、中継交換局ＴＳＣ２から受信したＩＡＭを、コーデックのリストと共に中継交換局ＴＳＣ３に送る。中継交換局ＴＳＣ３は、全てのコーデックのタイプをサポートしていなければこのリストを削減してもよい。中継交換局ＴＳＣ３はＩＡＭをコーデックのリストと共にＭＳＣに送り、ＭＳＣはリストを設定メッセージでユーザ機器に送信し、ユーザ機器は選択されたコーデックを呼の確認メッセージで応答する。そして移動通信交換局ＭＳＣは、メディア・ゲートウェイＭＧＷ４を選択し、メディア・ゲートウェイＭＧＷ４のアドレス、論理着信ポイント及び選択されたコーデックのタイプを中継交換局ＴＳＣ３に返す返信ＡＰＭで提供する。中継交換局ＴＳＣ３は、メディア・ゲートウェイＭＧＷ３及びメディア・ゲートウェイＭＧＷ４の間のユーザ・プレーンを設定し、選択されたコーデックに結合する。中継交換局ＴＳＣ３は、中継交換局ＴＳＣ２に選択されたコーデックをＡＰＭメッセージで返送する。中継交換局ＴＳＣ２は、メディア・ゲートウェイＭＧＷ２内の選択されたコーデックに結合し、メディア・ゲートウェイＭＧＷ２のアドレス、論理着信ポイント及び選択されたコーデックをＡＰＭで信号送信する。ゲートウェイ移動通信交換局ＧＭＳＣ／ＴＳＣ１は、コーデックに結合し、メディア・ゲートウェイＭＧＷ１からメディア・ゲートウェイＭＧＷ２へのユーザ・プレーンを設定し、中継スイッチ１にユーザ・プレーンが設定されたことを指示する。
【０１９０】
全てのコーデックが同じタイプなので、メディア・ゲートウェイＭＧＷ２内のコーデックとメディア・ゲートウェイＭＧＷ３内のコーデックとはＴＦＯモードとすることができる。ＴＦＯモードでは、コーデックはバイパスされ、圧縮されたコーデック音声は間にあるＰＣＭネットワークを介して転送され得る。これにより、トランスコードが省略できるので、音声品質が改善される。
【０１９１】
上記で説明した例は、転送レイヤ・アドレス及び論理ポイントが逆方向に転送されており、ＧＳＭ及びＵＭＴＳを実施するために、呼制御とベアラ制御とを分離した新たな手法を示したものである。
【図面の簡単な説明】
【図１】  メディア・ゲートウェイ・アドレスが逆方向に転送されている、ユーザ機器からユーザ機器への呼に対する基本的な呼の設定を示すブロック図である。
【図２】  メディア・ゲートウェイ・アドレスが逆方向に転送されている、ユーザ機器への呼に対する基本的な呼の設定を示すブロック図である。
【図３】  メディア・ゲートウェイ・アドレスが逆方向に転送されている、自身のＰＬＭＮにおけるユーザ機器へのローミング呼出しに対する基本的な呼の設定を示すブロック図である。
【図４】  メディア・ゲートウェイ・アドレスが逆方向に転送されている、ＧＭＳＣからＩＳＤＮ番号への着信転送に対する基本的な呼の設定を示すブロック図である。
【図５】  メディア・ゲートウェイ・アドレスが逆方向に転送されている、ＧＭＳＣ内での着信転送を伴うユーザ機器からユーザ機器への呼に対する基本的な呼の設定を示すブロック図である。
【図６】  メディア・ゲートウェイ・アドレスが逆方向に転送されている、１つのメディア・ゲートウェイにおける、コール・ウェイティング及びウェイティング・コールの受け入れに対する基本的な呼の設定を示すブロック図である。
【図７】  メディア・ゲートウェイ・アドレスが逆方向に転送されている、ホームＰＬＭＮにおけるローミング・ユーザ機器呼出しレッグ及びビジターＰＬＭＮにおけるローミング・ユーザ機器呼出しレッグに対する基本的な呼の設定を示すブロック図である。
【図１】
0004532048.tif 000002
【図２】
0004532048.tif 000003
【図３】
0004532048.tif 000004
【図４】
0004532048.tif 000005
【図５】
0004532048.tif 000006
【図６】
0004532048.tif 000007
【図７】
0004532048.tif 000008